(57)【特許請求の範囲】
【請求項１】
コネクタハウジングと、このコネクタハウジングに取り付けられる端子金具と、この端子金具に接続されて前記コネクタハウジングから延出される電線と、前記コネクタハウジングに対してその電線延出部を覆うとともに前記電線を貫通させるように取り付けられるカバーとを備えたものにおいて、
前記電線にはリング状をなすとともに前記カバー内に収容されるホルダが固着され、
前記ホルダの軸方向における両端部に前後一対のフランジが形成され、
前記一対のフランジの外周に、夫々、２つの切欠部が形成されていて、前側の前記フランジに形成されている前記切欠部と、後側の前記フランジに形成されている前記切欠部が互いに軸方向に見通すことができるような位置に配されており、
前記カバーの内周に、前後方向に細長い２つのリブと、片持ち状に延出する形態であって外側へ弾性撓み可能な弾性係止片とが形成されており、
前記弾性係止片が前記一対のフランジのうち後側の前記フランジに係合することにより、前記ホルダと前記カバーの電線軸方向への相対変位が規制されるとともに、
前記リブが、前側の前記切欠部と後側の前記切欠部の双方に係合することにより、前記ホルダと前記カバーの電線軸回りの相対回転が規制されていることを特徴とするコネクタ。
【請求項２】
前記ホルダには、前記電線の外周に対して食い込むことで前記ホルダと前記電線の軸方向の遊動及び軸回りの遊動を規制可能な食い込み孔が形成されていることを特徴とする請求項１記載のコネクタ。
【発明の詳細な説明】
【０００１】
【発明の属する技術分野】
本発明は、コネクタハウジングからの電線の延出部分を覆うカバーを備えたコネクタに関する。
【０００２】
【従来の技術】
コンピュータやその周辺機器に電線を接続するために用いられるコネクタとして、電線の端末に接続した端子金具をコネクタハウジング内に挿入し、このコネクタハウジングに電線の延出部分を覆うように筒状のカバーを取り付け、電線をカバーに貫通させた構造のものがある。
【０００３】
【発明が解決しようとする課題】
上記従来のコネクタでは、コネクタハウジングから延出された電線が単にカバーに貫通されているだけであったため、コネクタをコンピュータや周辺機器に対して着脱する際などに、コネクタハウジング及びカバーに対して電線が軸線方向に移動し易く、その結果、電線が過剰に引っ張られたり逆に過剰に曲げられたりしてしまう。また、電線はコネクタは及びカバーに対して軸回りに回転することもあり、この場合には、電線が過剰に捻られたり、電線と一緒に端子金具が傾いてコネクタハウジングに対する端子金具の抜け規制が解除される虞がある。
本願発明は上記事情に鑑みて創案されたものであって、コネクタハウジングに対する電線の遊動を規制することを目的とするものである。
【０００４】
【課題を解決するための手段】
請求項１の発明は、コネクタハウジングと、このコネクタハウジングに取り付けられる端子金具と、この端子金具に接続されて前記コネクタハウジングから延出される電線と、前記コネクタハウジングに対してその電線延出部を覆うとともに前記電線を貫通させるように取り付けられるカバーとを備えたものにおいて、前記電線にはリング状をなすとともに前記カバー内に収容されるホルダが固着され、前記ホルダの軸方向における両端部に前後一対のフランジが形成され、前記一対のフランジの外周に、夫々、２つの切欠部が形成されていて、前側の前記フランジに形成されている前記切欠部と、後側の前記フランジに形成されている前記切欠部が互いに軸方向に見通すことができるような位置に配されており、前記カバーの内周に、前後方向に細長い２つのリブと、片持ち状に延出する形態であって外側へ弾性撓み可能な弾性係止片とが形成されており、前記弾性係止片が前記一対のフランジのうち後側の前記フランジに係合することにより、前記ホルダと前記カバーの電線軸方向への相対変位が規制されるとともに、前記リブが、前側の前記切欠部と後側の前記切欠部の双方に係合することにより、前記ホルダと前記カバーの電線軸回りの相対回転が規制されている構成とした。
【０００５】
請求項２の発明は、前記ホルダには、前記電線の外周に対して食い込むことで前記ホルダと前記電線の軸方向の遊動及び軸回りの遊動を規制可能な食い込み孔が形成されている構成とした。
【０００６】
【発明の作用及び効果】
＜請求項１の発明＞
ホルダは電線に固着され、カバーはコネクタハウジングに取り付けられているため、ホルダのフランジとカバーの弾性係止片とが係合されると、電線のコネクタハウジングに対する軸方向への相対変位が規制される。したがって、電線に軸方向の引張力が作用しても、電線や電線と端子金具との接続部分等に過剰な応力が生じることが防止される。また、電線に軸方向の押込力が作用しても、電線がコネクタハウジングとの間で過剰に曲げられることが防止される。
【０００７】
また、ホルダのフランジの切欠部とカバーのリブとが係合されると、電線のコネクタハウジングに対する軸回りの相対回転が規制される。したがって、電線に回転方向の外力が作用しても、電線が捻られたり、電線と一緒に端子金具が傾いてコネクタハウジングに対する端子金具の抜け規制が解除されたりすることが防止される。
【０００８】
【発明の実施の形態】
＜実施形態１＞
以下、本発明を具体化した実施形態１を図１乃至図７を参照して説明する。
本実施形態のコネクタは、コネクタハウジング１０と端子金具２０と電線３０とカバー４０とホルダ５０とを備えて構成される。
コネクタハウジング１０の内部には複数室のキャビティ１１が形成され、各キャビティ１１には、夫々、端子金具２０がコネクタハウジング１０の背面の開口から挿入することによって収容され、端子金具２０はランス１２によって抜け規制状態に保持されている。各端子金具２０の後端には、夫々、キャビティ１１への挿入前に予め電線３０の端末が圧着によって接続されている。端子金具２０をキャビティ１１に挿入した状態では、電線３０がコネクタハウジング１０の背面から延出されている。
【０００９】
ここで、電線３０について説明すると、電線３０は、金属細線を撚り合わせた導体の外周を樹脂製のコアで被覆した周知構造のものである。コネクタハウジング１０の背面から延出した複数本の電線３０は一纏めの束とされ、その電線３０の束の外周は金属細線を筒形網状に編んだシールド層３１で囲まれ、さらにシールド層３１の外周がゴム製のシース３２で被覆され、もって１本のケーブル３３が構成されている。ケーブル３３の端末においては、シース３２が剥かれてシールド層３１が露出され、その露出したシールド層３１が折り返されてシース３２の外周を覆った状態とされている。そして、このシールド層３１の折返部から上記複数本の電線３０がコネクタハウジング１０に向かって分放射状に分散して延びている。
なお、添付図面では、全ての電線３０を表示すると図面が煩雑になって個々の電線３０が不明瞭になる虞があるため、１本または２本の電線３０のみをあらわすに留め、他の電線３０については省略している。
【００１０】
上記複数本の電線３０によって構成されたケーブル３３には、電線３０をカバー４０に対して遊動規制するためのホルダ５０が取り付けられている。ホルダ５０は、金属製の幅広状リング形をなし、拡開変形可能なように周方向の一部に切り込みが形成されている。ケーブル３３に取り付けられていない状態のホルダ５０の内径はケーブル３３の外径よりも少し大きい寸法に設定されている。かかるホルダ５０は、ケーブル３３のシース３２の外周に密着するように嵌着されている。
尚、ホルダ５０の取付けの方法としては、電線３０に端子金具２０を接続する前にホルダ５０に電線３０の束を貫通させるとともにホルダ５０を少し拡開させつつケーブル３３の外周に嵌めるようにすればよい。
ホルダ５０には長円形をなす食い込み孔５１が内周から外周に貫通するように形成されており、この食い込み孔５１はケーブル３３のシース３２の外周に対して食い込み機能を発揮し、この食い込み機能によりホルダ５０がケーブル３３及び電線３０に対して軸方向の遊動及び軸回りの遊動を規制されている。
【００１１】
ホルダ５０の軸方向における両端縁には前後一対のフランジ（本発明の構成要件である軸方向変位規制部）５２が形成されている。このフランジ５２は後述するカバー４０の弾性係止片４５に対して軸方向の相対変位規制状態に係合するようになっている。
また、各フランジ５２には、夫々、２つ切欠部（本発明の構成要件である回転規制部）５３がほぼ１８０度のピッチで形成されている。前側のフランジ５２の切欠部５３と後側のフランジ５２の切欠部５３とは、互いに軸方向に見通すことかできるように整合した位置に配されており、この切欠部５３には、後述するカバー４０のリブ４８に対して軸回りの相対回転規制状態に係合するようになっている。
【００１２】
次に、カバー４０について説明する。
カバー４０は、全体として前後両面に開口する角筒形をなし、ケーブル３３を貫通させた状態でコネクタハウジング１０の背面側の外周に嵌合され、カバー４０の係止突起４１とコネクタハウジング１０の係止孔１３とが係合することによってカバー４０とコネクタハウジング１０とが一体的に組み付けられている。このカバー４０により、コネクタハウジング１０の電線３０が延出する背面と、電線３０のケーブル３３の端末から剥き出しとされている部分と、ケーブル３３の端末部分とが覆われる。
【００１３】
カバー４０の内周の後部には嵌通孔４２が形成され、この嵌通孔４２にはホルダ５０を固着する前に予めケーブル３３がほぼ緊密に貫通されている。嵌通孔４２よりも前方には、嵌通孔４２よりも径が大きく、図７に示すようにフランジ５２がほぼ緊密に嵌合可能な円形をなすホルダ収容室４３が形成されており、このホルダ収容室４３にホルダ５０が収容されている。
このホルダ収容室４３の内周には左右一対の凹部４４が形成され、各凹部４４には、夫々、弾性係止片４５（本発明の構成要件である軸方向変位規制部）が形成されている。この弾性係止片４５は、ホルダ収容室４３の前端位置から後方に向かって片持ち状に延出し、外側への弾性撓みが可能とされている。弾性係止片４５の内面には楔形に突出する係合突部４６が形成され、この係合突部４６にはケーブル３３の軸方向と直交しホルダ５０の後側のフランジ５２に対して前方から係合する係合面４６Ａが形成されているとともに、この係合面４６Ａから弾性係止片４５の内面に向かって傾斜した誘導斜面４６Ｂが形成されている。また、ホルダ収容室４３の奥端面（嵌通孔４２の開口部周縁）は、ホルダ５０の後端面に対して後方から係合する受け面（本発明の構成要件である軸方向変位規制部）４７とされている。
また、ホルダ収容室４３にはその内周から中心に向かって突出する上下一対のリブ（本発明の構成要件である回転規制部）４８が形成されている。このリブ４８は、前後方向に細長く設けられ、ホルダ５０の前後双方の切欠部５３に嵌合されている。
【００１４】
上記コネクタを組み付ける際には、カバー４０にケーブル３３を貫通させ、ケーブル３３にホルダ５０を嵌着し、電線３０に端子金具２０を接続し、端子金具２０をコネクタハウジング１０に挿入し、カバー４０をコネクタハウジング１０に取り付けるという手順で作業を行う。カバー４０をコネクタハウジング１０に取り付けるときには、予めケーブル３３上においてホルダ５０をカバー４０に合わせて位置決めしておく。これにより、カバー４０がコネクタハウジング１０に取り付けられた状態で、リブ４８と切欠部５３が嵌合するとともに後側のフランジ５２が弾性係止片４５と受け面４７とに係合するようになる。また、ホルダ５０がホルダ収容室４３内に収容されるときには、弾性係止片４５がその誘導斜面４６Ｂを後側のフランジ５２に係合させることによって外側へ退避するように弾性撓みし、これによってホルダ５０のホルダ収容室４３への収容動作が円滑に行われる。
【００１５】
このようにしてコネクタを組み付けた状態では、ホルダ５０の後面が受け面４７に当接することによってホルダ５０のカバー４０に対する後方への相対移動が規制されているとともに、後側のフランジ５２が弾性係止片４５の係止突部４６に係合することによってホルダ５０のカバー４０に対する前方への相対移動が規制されている。ホルダ５０はケーブル３３に一体に嵌着され、カバー４０はコネクタハウジング１０に取り付けられているので、結局、ケーブル３３のコネクタハウジング１０に対する軸方向への相対変位が規制されている。
したがって、ケーブル３３に軸方向の引張力が作用しても、電線３０、電線３０と端子金具２０との接続部分、端子金具２０とランス１２との係止部分等に過剰な応力が生じることが防止される。また、ケーブル３３に軸方向の押込力が作用しても、電線３０がコネクタハウジング１０の背面との間で過剰に曲げられることが防止される。
【００１６】
同じくコネクタを組み付けた状態においては、ホルダ５０の切欠部５３にカバー４０のリブ４８が嵌合されているため、ホルダ５０のカバー４０に対する軸周りの相対回転、即ちケーブル３３のコネクタハウジング１０に対する軸周りの相対回転が規制されている。
したがって、ケーブル３３に回転方向の外力が作用してもケーブル３３が回転したり捻れたりすることがなく、これにより、カバー４０の内部で電線３０が捻られたり、電線３０と一緒に端子金具２０がコネクタハウジング１０内で傾いて端子金具２０の抜け規制が解除されたりすることが防止される。
【００１７】
なお、本実施形態ではホルダ５０が前後対称な形状となっているので、前後反転させてケーブル３３に取り付けても、ケーブル３３のカバー４０に対する軸方向の遊動規制と軸回りの回転規制の双方が可能である。
【００１８】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００１９】
（１）上記実施形態ではホルダを金属製としたが、樹脂製とすることも可能である。
【図面の簡単な説明】
【図１】実施形態１において電線とカバーをコネクタハウジングから分離した状態をあらわす斜視図
【図２】ホルダの斜視図
【図３】組付け状態の水平断面図
【図４】分離状態の水平断面図
【図５】組付け状態の縦断面図
【図６】分離状態の縦断面図
【図７】組付け状態の横断面図
【符号の説明】
１０…コネクタハウジング
２０…端子金具
３０…電線
４０…カバー
４５…弾性係止片（カバーの軸方向変位規制部）
４７…受け面（カバーの軸方向変位規制部）
４８…リブ（カバーの回転規制部）
５０…ホルダ
５２…フランジ（ホルダの軸方向変位規制部）
５３…切欠部（ホルダの回転規制部）
【図１】
0003750267.tif 000002
【図２】
0003750267.tif 000003
【図３】
0003750267.tif 000004
【図４】
0003750267.tif 000005
【図５】
0003750267.tif 000006
【図６】
0003750267.tif 000007
【図７】
0003750267.tif 000008